(57)【要約】【課題】本発明は、省エネルギーマウスを提供する。【解決手段】本発明のマウスは、電源に接続される電源入力端、制御端、第一出力端及び第二出力端を備えるスイッチモジュールと、スイッチモジュールの第一出力端に接続される発光ダイオードと、スイッチモジュールの第一出力端に接続されてマウスが操作されたか否かを検出して対応する検出信号を送信する検出回路と、スイッチモジュールの第二出力端に接続されてマウスが操作されたか否かを検出して対応する検出信号を送信する感知モジュールと、感知モジュール及び検出回路に接続されて、感知モジュール及び検出回路からの検出信号を受信し、スイッチモジュールの制御端に接続されて、受信した検出信号に基づいてスイッチモジュールに対応する制御信号を送信し、スイッチモジュールを制御して電源と感知モジュールとを接続する又は電源と発光ダイオード及び検出回路とを接続する制御モジュールと、を備える。【選択図】図１
2014093083.tif 000002
【特許請求の範囲】
【請求項１】
電源に接続される電源入力端、制御端、第一出力端及び第二出力端を備えるスイッチモジュールと、
前記スイッチモジュールの第一出力端に接続される発光ダイオードと、
前記スイッチモジュールの第一出力端に接続されてマウスが操作されるか否かを検出し、対応する検出信号を送信する検出回路と、
前記スイッチモジュールの第二出力端に接続されてマウスが操作されるか否かを検出し、対応する検出信号を送信する感知モジュールと、
前記感知モジュール及び前記検出回路に接続されて、前記感知モジュール及び前記検出回路からの検出信号を受信し、前記スイッチモジュールの制御端に接続されて、受信した前記検出信号に基づいて前記スイッチモジュールに対応する制御信号を送信し、前記スイッチモジュールを制御して前記電源と前記感知モジュールとを接続する又は前記電源と前記発光ダイオード及び前記検出回路とを接続する制御モジュールと、
を備えることを特徴とするマウス。
【請求項２】
前記検出回路は、前記マウスが操作されたと検出した場合、前記制御モジュールに第一検出信号を送信し、前記制御モジュールは、前記第一検出信号を受信し、前記スイッチモジュールに第一制御信号を送信し、前記スイッチモジュールは、前記第一制御信号を受信し、前記電源と前記第一出力端を接続し、
前記検出回路は、前記マウスが操作されないと検出した場合、前記制御モジュールに第二検出信号を送信し、前記制御モジュールは、前記第二検出信号を受信し、前記スイッチモジュールに第二制御信号を送信し、前記スイッチモジュールは、前記第二制御信号を受信し、前記電源と前記第二出力端を接続するとともに、前記電源と前記第一出力端との間の接続を切断することを特徴とする請求項１に記載のマウス。
【請求項３】
前記感知モジュールは、前記マウスが操作されたと検出した場合、前記制御モジュールに第三検出信号を送信し、前記制御モジュールは、前記第三検出信号を受信し、前記スイッチモジュールに第三制御信号を送信し、前記スイッチモジュールは、前記第三制御信号を受信し、前記電源と前記第一出力端を接続するとともに、前記電源と前記第二出力端との間の接続を切断し、
前記感知モジュールは、前記マウスが操作されないと検出した場合、前記制御モジュールに第四検出信号を送信し、前記制御モジュールは、前記第四検出信号を受信し、前記スイッチモジュールに第四制御信号を送信し、前記スイッチモジュールは、前記第四制御信号を受信し、前記電源と前記第二出力端との間の接続を保持することを特徴とする請求項２に記載のマウス。
【発明の詳細な説明】
【技術分野】
【０００１】
本発明は、マウスに関するものであり、特に省エネルギーマウスに関するものである。
【背景技術】
【０００２】
マウスを使用しなくてもその発光ダイオードはずっと発光するので、電気エネルギーを浪費する問題がある。
【発明の概要】
【発明が解決しようとする課題】
【０００３】
本発明の目的は、前記課題を解決し、省エネルギーマウスを提供することである。
【課題を解決するための手段】
【０００４】
本発明に係るマウスは、電源に接続される電源入力端、制御端、第一出力端及び第二出力端を備えるスイッチモジュールと、スイッチモジュールの第一出力端に接続される発光ダイオードと、スイッチモジュールの第一出力端に接続されてマウスが操作されたか否かを検出して対応する検出信号を送信する検出回路と、スイッチモジュールの第二出力端に接続されてマウスが操作されたか否かを検出して対応する検出信号を送信する感知モジュールと、感知モジュール及び検出回路に接続されて、感知モジュール及び検出回路からの検出信号を受信し、スイッチモジュールの制御端に接続されて、受信した検出信号に基づいてスイッチモジュールに対応する制御信号を送信し、スイッチモジュールを制御して電源と感知モジュールとを接続する又は電源と発光ダイオード及び検出回路とを接続する制御モジュールと、を備える。
【発明の効果】
【０００５】
従来の技術に比べて、本発明のマウスは、感知モジュール及び検出回路によって自身が操作されたか否かを判断して、マウスが操作されないと、スイッチモジュールの第一出力端の電力供給を切断するとともに、電源とスイッチモジュールの第二出力端を接続して、マウスの電気エネルギー消耗を減少させる。
【図面の簡単な説明】
【０００６】
【図１】本発明の実施形態に係るマウスのシステムブロック図である。
【発明を実施するための形態】
【０００７】
以下、図面を参照して、本発明の実施形態について説明する。
【０００８】
図１を参照すると、本発明の実施形態に係るマウス１０は、電源２０、制御モジュール１００と、スイッチモジュール１０１と、感知モジュール２０１と、発光ダイオード３０１と、検出回路３０２と、を備える。マウス１０は、他の光学式マウスのように光センサーなどの他の素子をさらに備えるが、ここで詳しく説明しない。
【０００９】
スイッチモジュール１０１は、電源２０に接続される電源入力端と、制御モジュール１００に接続される制御端と、発光ダイオード３０１及び検出回路３０２に接続される第一出力端と、感知モジュール２０１に接続される第二出力端と、を備える。
【００１０】
電源２０は、制御モジュール１００に接続されて、制御モジュール１００に電力を供給する。
【００１１】
感知モジュール２０１及び検出回路３０２は、マウス１０の動作を検出するために用いられ、マウス１０が移動する又は押圧されると、即ちマウス１０が操作されると、感知モジュール２０１又は検出回路３０２は制御モジュール１００に対応する検出信号を送信する。制御モジュール１００は、感知モジュール２０１又は検出回路３０２からの検出信号を受信して、この検出信号に基づいてスイッチモジュール１０１に対応する制御信号を送信する。スイッチモジュール１０１は、制御モジュール１００からの制御信号に基づいて、電源２０と感知モジュール２０１とを接続する又は電源２０と発光ダイオード３０１及び検出回路３０２とを接続する。具体的に説明すると、初期状態において制御モジュール１００はスイッチモジュール１０１を制御して、電源２０と発光ダイオード３０１及び検出回路３０２とを接続する。検出回路３０２によってマウス１０が操作されたと検出された場合、検出回路３０２は制御モジュール１００に対応する検出信号を送信し、制御モジュール１００はスイッチモジュール１０１に対応する制御信号を送信して、スイッチモジュール１０１は、電源２０と発光ダイオード３０１及び検出回路３０２との間の接続状態を保持する。検出回路３０２によってマウス１０が操作されないと検出された場合、検出回路３０２は制御モジュール１００に対応する検出信号を送信し、制御モジュール１００はスイッチモジュール１０１に対応する制御信号を送信して、スイッチモジュール１０１は、電源２０と感知モジュール２０１とを接続するとともに、電源２０と発光ダイオード３０１及び検出回路３０２との間の接続を切断する。
【００１２】
マウスが操作されないと、感知モジュール２０１は制御モジュール１００に対応する検出信号を送信し、制御モジュール１００はスイッチモジュール１０１に対応する制御信号を送信して、スイッチモジュール１０１は、電源２０と感知モジュール２０１との間の接続状態を保持する。マウスが操作されると、感知モジュール２０１は制御モジュール１００に対応する検出信号を送信し、制御モジュール１００はスイッチモジュール１０１に対応する制御信号を送信して、スイッチモジュール１０１は、電源２０と発光ダイオード３０１及び検出回路３０２とを接続するとともに、電源２０と感知モジュール２０１との間の接続を切断する。
【００１３】
本実施形態において、電源２０が電力の供給を開始する時、制御モジュール１００はスイッチモジュール１０１に制御信号を送信して、スイッチモジュール１０１は電源２０と発光ダイオード３０１及び検出回路３０２とを接続するので、検出回路３０２は作動状態になり、マウス１０は正常に作動する。
【００１４】
ユーザーがマウス１０を操作しないと、検出回路３０２はマウス１０が操作されないと検出して制御モジュール１００に対応する検出信号を送信し、制御モジュール１００はスイッチモジュール１０１に制御信号を送信して、スイッチモジュール１０１は電源２０と発光ダイオード３０１及び検出回路３０２との間の接続を切断するとともに、電源２０と感知モジュール２０１とを接続して、感知モジュール２０１は作動状態になり、発光ダイオード３０１及び検出回路３０２は電気エネルギーを消耗しない。
【００１５】
ユーザーがマウス１０を再び操作すると、感知モジュール２０１は、マウス１０が操作されたと感知して制御モジュール１００に対応する検出信号を送信し、制御モジュール１００はスイッチモジュール１０１に制御信号を送信して、スイッチモジュール１０１は電源２０と感知モジュール２０１との間の接続を切断するとともに、電源２０と発光ダイオード３０１及び検出回路３０２とを接続して、マウス１０は正常に作動する。
【００１６】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、添付の特許請求の範囲によって決まる。
【符号の説明】
【００１７】
１０  マウス
２０  電源
１００  制御モジュール
１０１  スイッチ選択モジュール
２０１  動作感知モジュール
３０１  発光ダイオード
３０２  動作検出回路
【図１】
2014093083.tif 000003